(57)【特許請求の範囲】
【請求項１】
遊技により入賞等が成立すると該入賞等に対応した個数の景品体が払出される遊技機において、
遊技者側に凸の成形部と該成形部の周囲の平板部とからなる装飾体を着脱可能な装飾体装着部を前記遊技が行われる領域を臨ませるための窓を有する窓枠体の前面に設け、
開口に前記成形部を露出させて前記平板部の縁部を被覆する環状であり、先端部に係止突起が設けられた弾性片の係止爪が前記開口の軸線と平行に延出されている装着板と、
軸、該軸から延出された舌片及び前記軸の基部に連設されたつまみを備えているストッパと、
前記装飾体装着部に設けられた平面状の装飾体支持面と、
前記装飾体支持面の背後側に配されて、内壁面には前記係止突起を嵌合させる係止溝が設けられ、軸支持部には、前記軸を摺動させる軸受部と前記舌片を通過させる形状の通過部とが連結された形状の貫通穴が設けられているストッパ保持部とからなり、
前記平板部の背面を前記装飾体支持面の前面に対面させて、前記開口に前記成形部を露出させて前記縁部の前面を前記装着板にて被覆して、前記装飾体を前記装着板と前記装飾体支持面で挟持し、前記係止突起を前記係止溝に係止させ、
前記軸を前記軸受部に貫通させた前記ストッパを前記つまみを持って回すことで前記舌片を前記係止突起の背面に当接させて前記係止突起と前記係止溝との係止を解除できず、前記装飾体の取り外しを許さない状態となり、
該装飾体の取り外しを許さない状態から、前記つまみを持って前記ストッパを回して前記舌片を前記係止突起の背面から離脱させれば前記係止突起と前記係止溝との係止を解除可能になることを特徴とする遊技機。
【請求項２】
請求項１記載の遊技機において、
前記窓枠体は前記遊技機の本体側に対して扉状に開閉可能であり、
前記窓枠体を閉鎖した状態では前記ストッパを操作できない構成とした
ことを特徴とする遊技機。
【請求項３】
請求項１又は２記載の遊技機において、
遊技盤上に形成された遊技領域に撃ち込まれた遊技球の挙動により入賞等が成立すると
該入賞等に対応した個数の遊技球が前記景品体として払出される
ことを特徴とする遊技機。
【請求項４】
請求項１、２又は３記載の遊技機において、
前記装飾体は、樹脂シートに印刷したものに真空成形、圧空成形又は真空圧空成形を施して３次元形状に成形した立体的な装飾体である
ことを特徴とする遊技機。
【発明の詳細な説明】
【０００１】
【発明の属する技術分野】
本発明は、入賞等に対応した個数の景品体が払出される遊技機の技術分野に属する。
【０００２】
【従来の技術】
例えばパチンコ機のように、遊技により入賞等が成立すると該入賞等に対応した個数の景品体が払出される遊技機がある。入賞等というのは、景品体払出の原因となる事象であり、パチンコ機やスロットマシンにおける入賞、アレンジボール式パチンコ機における得点の成立等である。景品体としては遊技球やメダル等がある。
【０００３】
【発明が解決しようとする課題】
こうした遊技機には装飾体が取り付けられていることがある。装飾体の形状などは例えばメーカーのロゴマークのようにメーカー毎に共通であったり、機種毎に異ならせたりされるが、遊技店に設置されている遊技機に装着されている装飾体が変更されることは無かった。つまり、個別の遊技機毎については、遊技者が目にする装飾体は不変であった。
【０００４】
【課題を解決するための手段及び発明の効果】
請求項１の遊技機は、遊技により入賞等が成立すると該入賞等に対応した個数の景品体が払出される遊技機において、
遊技者側に凸の成形部と該成形部の周囲の平板部とからなる装飾体を着脱可能な装飾体装着部を前記遊技が行われる領域を臨ませるための窓を有する窓枠体の前面に設け、
開口に前記成形部を露出させて前記平板部の縁部を被覆する環状であり、先端部に係止突起が設けられた弾性片の係止爪が前記開口の軸線と平行に延出されている装着板と、
軸、該軸から延出された舌片及び前記軸の基部に連設されたつまみを備えているストッパと、
前記装飾体装着部に設けられた平面状の装飾体支持面と、
前記装飾体支持面の背後側に配されて、内壁面には前記係止突起を嵌合させる係止溝が設けられ、軸支持部には、前記軸を摺動させる軸受部と前記舌片を通過させる形状の通過部とが連結された形状の貫通穴が設けられているストッパ保持部とからなり、
前記平板部の背面を前記装飾体支持面の前面に対面させて、前記開口に前記成形部を露出させて前記縁部の前面を前記装着板にて被覆して、前記装飾体を前記装着板と前記装飾体支持面で挟持し、前記係止突起を前記係止溝に係止させ、
前記軸を前記軸受部に貫通させた前記ストッパを前記つまみを持って回すことで前記舌片を前記係止突起の背面に当接させて前記係止突起と前記係止溝との係止を解除できず、前記装飾体の取り外しを許さない状態となり、
該装飾体の取り外しを許さない状態から、前記つまみを持って前記ストッパを回して前記舌片を前記係止突起の背面から離脱させれば前記係止突起と前記係止溝との係止を解除可能になるので、
遊技店に設置されている遊技機においても装着手段を操作することにより装着されている装飾体を交換することができる。これにより、同じ一つの遊技機であるのに、例えば営業日毎とか一週間毎に装飾体を交換して遊技者を楽しませることができる。
【０００５】
装飾体の形状や色などに特に限定はなくは、例えば遊技盤の装飾画（いわゆるセル画）や図柄表示装置に表示されるキャラクタや遊技機のメーカ等を示すキャラクタを象ったもの、人物、動物又は植物（いずれも想像上のものを含む）を象ったもの、建造物や機械類（例えばロボット、自動車、航空機、船舶等）を象ったもの等、さまざまにできる。
【０００７】
装飾体装着部すなわち装飾体の取付位置は、遊技機前面であればどこでもよいのだが、ある程度の大きさの装飾体を取付可能で、そこに装着した装飾体が遊技者の邪魔にならずしかも良く目立つ等の条件を考慮すると、窓枠体すなわち前記遊技が行われる領域を臨ませるための窓を有する窓枠体の前面に装飾体装着部を設けると良い。この窓枠体の前面でも、窓の左右がより好適である。また、窓枠体が円形の窓を有する場合には、その窓の斜め下方に装飾体装着部を設けるのが好適である。
装飾体は、窓枠体に設けられた装飾体装着部に取り付けられるので、装飾体の交換（或いは装飾体の有無）が遊技に影響を及ぼすことはない（例えば入賞等の発生に影響したり遊技球の進路に影響するようなことはない）。したがって、遊技店で装飾体を交換しても問題は生じない。
【０００８】
ストッパが遊技機の外側（例えば前面側）から操作可能であれば装飾体の交換作業を容易に行えるが、それだと遊技者が勝手に操作して装飾体を取り外してしまうおそれがある。
しかし、請求項２記載の遊技機は、請求項１記載の遊技機において、前記窓枠体は前記遊技機の本体側に対して扉状に開閉可能であり、前記窓枠体を閉鎖した状態では前記ストッパを操作できない構成としたので、窓枠体を開放しなければ（通常、この開放には開錠操作が必要）ストッパを操作できず、遊技者が勝手にストッパを操作するのを防止できる。なお、窓枠体の開閉作業自体は簡単であるから、ストッパを操作する作業（装飾体の着脱作業）も容易である。
【０００９】
請求項３記載の遊技機は、請求項１又は２記載の遊技機において、遊技盤上に形成された遊技領域に撃ち込まれた遊技球の挙動により入賞等が成立すると該入賞等に対応した個数の遊技球が前記景品体として払出されることを特徴とする遊技機であり、パチンコ機やアレンジボール式パチンコ機がこれに該当する。
【００１０】
請求項１〜３の遊技機に取り付ける装飾体は平面的な物体であるよりも遊技者側に凸の成形部を備えて立体的にすれば装飾効果が高まる。
立体的な装飾体を製造するには樹脂成形が簡便である。例えば射出成形は表面の美観に優れており微細な形状にできる等のメリットがあるが、金型が精密かつ複雑となり金型コストが高いという欠点がある。
【００１１】
これに対して真空成形、圧空成形又は真空圧空成形は、片面が開放された半立体になりあまり微細な形状は難しいものの、キャビティ形状が単純でよいので金型コストは安いというメリットがある。また、成形品の内部が空洞であるから使用する樹脂量も少なくて済む。
【００１２】
請求項４記載の遊技機は、請求項１、２又は３記載の遊技機において、前記装飾体は、樹脂シートに印刷したものに真空成形、圧空成形又は真空圧空成形を施して３次元形状に成形した立体的な装飾体であることを特徴とし、上述の真空成形、圧空成形又は真空圧空成形の利点により装飾体の製造コストを安くできる。
【００１３】
遊技機前面の装飾体装着部に取り付けられた装飾体の背面側は遊技者から見えなくなるので、片面（背面側）が開放された半立体で何ら差し支えがないから、真空成形、圧空成形又は真空圧空成形で十分である。
また、射出成形とは違って多色にできるし、樹脂シートに印刷される色やデザインを変更すれば、同じ金型を使用しても色などが様々に異なる装飾体を製造できる。
【００１４】
請求項４記載の立体的な装飾体の場合、印刷が内面側になる構造が望ましいので、樹脂シートは透光性（透明又は半透明）にして、その片面に印刷し、印刷面側が凹になる３次元形状に成形するとよい。このようにすると、印刷面に例えば遊技者が触れたりして汚したり傷つけるのを防止できる。また、凹面側に印刷することで成形時に印刷層がひび割れるのを抑止できる。
【００１５】
樹脂シートの板厚は、樹脂シートの材質や透明度、装飾体に要求される強度等によって適宜に選択されればよいが、一般的には０．２〜１．５ｍｍ程度の範囲であり、好ましくは０．３〜１ｍｍ程度の範囲である。
【００１６】
【発明の実施の形態】
次に、本発明の実施例により発明の実施の形態を説明する。
【００１７】
【実施例】
図１に示すのは遊技機の一種であるパチンコ機１０の斜視図である。この図１に示すように、パチンコ機１０は、プラスチック製の本体枠１２、上下一対のヒンジ１４により本体枠１２に蝶着されているプラスチック製の中枠１６を備えており、これら本体枠１２及び中枠１６にて各部を支持する構造である。なお、図示はしないが、パチンコ機１０の向かって左側に周知のＣＲユニットが取付けられる場合がある。
【００１８】
中枠１６は遊技盤２２を保持しており、詳細の図示は省略するが、遊技盤２２には、公知の遊技盤と同様にガイドレールによって周囲を囲まれた略円形の遊技領域が設けられ、その遊技領域には各種の入賞装置（入賞口を有する）、障害釘、風車等が配され、また最下部には遊技領域を通過してきた遊技球をアウト球として排出するためのアウト穴が設けられている。
【００１９】
遊技盤２２の前面側は窓枠体２４及び窓枠体２４の背面側に配されたガラス板２６によって覆われている。詳しくは、ガラス板２６はほぼ正方形で、窓枠体２４の背面側にはガラス板２６の外周形状に整合する矩形のガラス保持枠（図示しない）が装着されており、ガラス板２６はガラス保持枠に保持されて窓枠体２４に取り付けられている。
【００２０】
窓枠体２４は、その向かって左辺の背面側に配されたヒンジ（図示しない）を介して中枠１６に連結されており、そのヒンジを軸として開閉可能である。ただし、窓枠体２４は、通常時には図示のように閉鎖した状態で施錠されており、中枠１６に設けられた錠２７を操作することで開放できる。なお、この錠２７は中枠１６を本体枠１２に対して閉鎖状態に施錠する働きもしており、錠２７の操作方向（時計回り、反時計回り）により、窓枠体２４または中枠１６が解錠される構造である。
【００２１】
窓枠体２４には円形の窓２８が設けられており、この窓２８から遊技盤２２を視認することができる。遊技盤２２の窓２８の内側にほぼ対応する部分が上述の遊技領域とされている。
窓２８の左下方には装飾体装着部７０が設けられ、これと対照の位置にはシール窓２９が設けられている。シール窓２９には透明板がはめ込まれており、遊技盤２２の下隅に貼られた証紙類を透かし見ることができる。
【００２２】
窓枠体２４の下方には、皿扉３０が向かって左辺の背面側に配されたヒンジ（図示しない）を介して中枠１６に連結されており、そのヒンジを軸として開閉可能である。この皿扉３０も、窓枠体２４と同様に、通常時には図示のように閉鎖した状態とされており、窓枠体２４を開放してから皿扉３０の背後に配されている金具を操作すれば皿扉３０を開放することができる。
【００２３】
皿扉３０には、上皿３２が設けられており、上皿３２の内側には、パチンコ機１０の本体内部に通じる上皿放出樋３４が開口している。この上皿放出樋３４は図示しない払出通路を介して払出装置（図示されない）に接続されており、上皿３２は払出装置から排出された遊技球を受け容れる。また、この上皿３２は発射装置（図示されない）に供給するための遊技球を貯留しておく発射球供給皿でもあり、上皿３２内の遊技球は発射装置の稼働に伴って発射装置へと流出する。
【００２４】
なお、払出装置は賞球としての遊技球と貸球としての遊技球の払い出しが可能で、ＣＲユニットが付属する場合には賞球及び貸球の払い出しを行い（賞球払出装置であり貸球排出装置でもある。）、ＣＲユニットが付属していない場合には賞球の払い出しのみを行う（賞球払出装置である。）。
【００２５】
皿扉３０の下方においては、下皿５６が、中枠１６の前面側に固定されている。下皿５６の内側には、パチンコ機１０の本体内部に通じる下皿放出樋５８が開口している。この下皿放出樋５８は払出通路を介して払出装置に接続されており、払出装置から排出された遊技球を受け容れることができる。なお、払出通路は上皿放出樋３４側と下皿放出樋５８側とに分岐していて、上皿放出樋３４に遊技球が充満すると（上皿３２が満杯になると）払出通路から下皿放出樋５８へと遊技球が導かれる構造である。
【００２６】
下皿５６の左側には灰皿６３が、右側には発射装置を操作するための操作ダイヤル６２が、それぞれ中枠１６の前面側に取り付けられている。
本実施例のパチンコ機１０は、次に図２及び図３を参照して説明する装飾体装着部７０に関わる構成を除けば公知のパチンコ機と同様に構成されており、公知のパチンコ機と同様に遊技が行われ、遊技に伴って入賞が発生すれば、それに対応する賞球が払い出される。
【００２７】
図２に示すように、装飾体装着部７０には装飾体７２が取り付けられている。装飾体７２は、真空圧空成形品であり、遊技者側に凸の成形部７３と成形部７３の周囲の平板部７４とからなっている（図３参照）。
装飾体７２は透明な樹脂シート（本例ではポリエチレンテレフタレート、板厚０．５ｍｍ）の裏面側（凹側）に印刷したもの真空圧空成形して製造してある。図示の例では成形部７３は人魚であり、その顔、毛髪、腕、胴体などが印刷されている。なお、本発明は装飾体７２を交換可能としたものであるから、成形部７３の形状は人魚に限るものではなく、例えば遊技盤２２の装飾画（いわゆるセル画）や図柄表示装置に表示されるキャラクタや遊技機のメーカ等を示すキャラクタを象ったもの、人物、動物又は植物（いずれも想像上のものを含む）を象ったもの、建造物や機械類（例えばロボット、自動車、航空機、船舶等）を象ったもの等、さまざまにできる。
【００２８】
なお、成形部７３となる部分に実在の人物、建造物、機械類等の写真を印刷して、そのアウトラインを象って成形することで、実在物を縮小した形状の成形部７３にすることもできる。
平板部７４は、その背後の部材の色を成形部７３の背景色とするために印刷を施さない場合や成形部７３にふさわしい背景を印刷する場合がある。背景を印刷する場合、平板部７４の一部には印刷せずに背後の部材の色を利用することもできる。本例の装飾体７２は、成形部７３のみでなく平板部７４にも印刷が施されていて、背後の装着板７６は見えない。
【００２９】
図３に示すように、装飾体装着部７０の内側は平面状の装飾体支持面７１とされ、その周囲（窓枠体２４の表面）から一段低く凹陥している。そして、装飾体支持面７１の外周部には、図２に示されるとおり装飾体装着部７０の輪郭に沿って、複数の係合突起７１ａが設けられている。
【００３０】
図２に示すように、装飾体７２（平板部７４）の外形は装飾体装着部７０の輪郭に沿っていて、ほぼ緩み無く装飾体装着部７０に収容される。また、平板部７４には係合突起７１ａに対応して係合穴７４ａが設けられており、図３に良好に示されているとおり各々の係合穴７４ａが係合突起７１ａに係合される。なお、係合突起７１ａの高さは平板部７４の板厚よりもわずかに小さく設定されている。
【００３１】
装飾体７２（平板部７４）の縁部はドーナツ状の装着板７６によって被覆されており、係合突起７１ａ及び係合穴７４ａは装着板７６によって隠されている。装着板７６の外周形状は装飾体装着部７０の輪郭に沿っており、装飾体装着部７０に緩み無く嵌合している。また、内周形状もほぼ装飾体装着部７０の輪郭に倣った形状で、その開口部分は成形部７３を完全に露出させる。
【００３２】
装着板７６には複数箇所（本例では円弧状になっている部分の３箇所）に係止爪７７が設けられている。係止爪７７は装着板７６の本体部から延出された弾性片であり、その先端部に係止突起７７ａが設けられている。係止爪７７は、装飾体装着部７０の背後側に配されているストッパ保持部７８の内壁面７８ａに設けられた係止溝７９に係止突起７７ａを嵌合させた状態で係止されている。このように係止溝７９に係止突起７７ａを係止した際には、装着板７６と装飾体支持面７１との間隔が平板部７４の板厚よりもわずかに小さくなり、装着板７６と装飾体支持面７１との間に平板部７４を挟持する。
【００３３】
係止溝７９がＶ谷状で係止突起７７ａが山状であるので、装着板７６を装飾体支持面７１から引き離す方向の力が加えられた場合には、これらの係止は比較的容易に解除される。
しかし、図３に示すように、その係止解除を防止するためのストッパ８０が備わっている。
【００３４】
ストッパ８０は、軸８１、軸８１から延出された舌片８２及び軸８１の基部に連設されたつまみ８３を備えている。
ストッパ保持部７８の軸支持部８４には、軸８１を摺動させる軸受部８５ａと舌片８２を通過させる形状の通過部８５ｂとが連結された形状の貫通穴８５が設けられている。
【００３５】
軸８１を軸受部８５ａに合わせ舌片８２を通過部８５ｂに合わせてストッパ８０を貫通穴８５に挿し込めば、軸８１が軸受部８５ａに貫通していて舌片８２が通過部８５ｂを通過した状態にできる。その状態からつまみ８３を持ってストッパ８０を約９０度回せば、図３に示すようにストッパ８０の舌片８２が係止突起７７ａの背面に当接するので、係止突起７７ａと係止溝７９との係止を解除できなくなる。なお、つまみ８３は、窓枠体２４を開放した状態で窓枠体２４の背面側から操作可能であるが、窓枠体２４を閉鎖した状態では操作できない。
【００３６】
しかし、ストッパ８０を回して舌片８２を係止突起７７ａから外せば、係止突起７７ａと係止溝７９との係止を解除可能になる。また、ストッパ８０を回して舌片８２を通過部８５ｂに合わせればストッパ８０を貫通穴８５から抜き取ることができる。
【００３７】
ストッパ８０を貫通穴８５から抜き取る必要はないが、舌片８２を係止突起７７ａから外してから装着板７６を装飾体支持面７１から引き離せば、係止突起７７ａと係止溝７９との係止が解除されるから、装着板７６を取り外せる。装着板７６を取り外せば、装飾体７２を装飾体支持面７１から取り外すことができる。
【００３８】
そして、装飾体７２を取り外して、別の装飾体７２を装飾体支持面７１に装着してから、装着板７６を取り付けて係止突起７７ａと係止溝７９とを係止させ、ストッパ８０を回して舌片８２を係止突起７７ａの背面に当接させれば、別の装飾体７２の取付が完了する。
【００３９】
装飾体７２については、成形部７３の外形（平板部７４との境界）が装着板７６の内周に収まる形状で、平板部７４には係合突起７１ａに対応する位置に係合穴７４ａが設けられている装飾体７２なら、成形部７３の形状に関わりなく、装飾体装着部７０に取付可能である。
【００４０】
以上の通り、このパチンコ機１０は、装飾体７２を着脱可能な装飾体装着部７０が窓枠体２４の前面（パチンコ遊技に関わらない領域である。）に設けられていて、装着板７６とストッパ８０とによって構成される装着手段を操作することにより、装飾体装着部７０に装着された装飾体７２の取り外して別の装飾体７２に交換可能としているので、同じ一つのパチンコ機１０であるのに、例えば営業日毎とか一週間毎に装飾体７２を交換して遊技者を楽しませることができる。
【００４１】
装飾体装着部７０の位置すなわち装飾体７２の取付位置を、窓枠体２４の前面のしかも向かって左側にしているので、装飾体７２が遊技者の邪魔にならずしかも良く目立つ。
装飾体７２を押さえている装着板７６を取り外すには（つまり装飾体７２を取り外すには）ストッパ８０の操作が必要であるが、この操作は窓枠体２４を閉鎖した状態では行えないので、遊技者が勝手にストッパ８０を操作して装飾体７２を取り外すのを防止できる。窓枠体２４は錠２７を解錠操作するだけで開放できるから、装飾体７２の取り外し（交換）は容易である。
【００４２】
装飾体７２は、樹脂シートに印刷したものを真空圧空成形して３次元形状に成形した立体的な装飾体７２であるから、平面的なものよりも装飾効果が高まっている。
装飾体７２の成形に採用した真空圧空成形は（真空成形又は圧空成形も）、キャビティ形状が単純でよいので金型コストは安いというメリットがある。また、成形品の内部が空洞であるから使用する樹脂量も少なくて済む。しかも、印刷による着色であるから射出成形とは違って多色にできるし、樹脂シートに印刷される色やデザインを変更すれば、同じ金型を使用しても色などが様々に異なる装飾体７２を製造できる。
【００４３】
成形材となる樹脂シートは透光性（実施例では透明）で、その片面に印刷し、印刷面側が凹になる３次元形状に成形しているので、印刷面に例えば遊技者が触れたりして汚したり傷つけるのを防止でき、凹面側に印刷することで成形時に印刷層がひび割れるのを抑止できる。
【００４４】
以上、実施例にしたがって本発明の実施の形態を説明したが、本発明はこの例に限定されるものではない。
実施例はパチンコ機に本発明を適用した例であるが、他の形式の遊技機、例えばスロットマシンにも本発明を適用できる。
【図面の簡単な説明】
【図１】  実施例のパチンコ機の正面図。
【図２】  装飾体装着部及び装飾体の正面図。
【図３】  装飾体装着部の内部構造の説明図。
【符号の説明】
１０    パチンコ機（遊技機）
２２    遊技盤
２４    窓枠体
２８    窓
３０    皿扉
３２    上皿
５６    下皿
７０    装飾体装着部
７１    装飾体支持面
７２    装飾体
７６    装着板（装着手段）
８０    ストッパ（装着手段）
【図１】
0004257769.tif 000002
【図２】
0004257769.tif 000003
【図３】
0004257769.tif 000004